(57)【要約】【課題】使用中にヘアーキャッチャーに溜まった毛髪や糸屑等を手指やブラシ等を使うことなく、簡単な操作で除去することができるヘアーキャッチャーを提供することを目的とする。【解決手段】中心部に貫通穴が設けられ毛髪等を捕集する捕集部材と、少なくとも中央部が前記貫通穴よりも細い軸となる軸部材とからなり、前記捕集部材を前記軸部材の中央部にスライド自在に取り付けるようにした。この構成により、捕集部材に捕集された毛髪等のゴミを除去する際、ヘアーキャッチャーをごみ箱等に向けて振ると、捕集部材は軸部材の上方へスライドし、捕集された毛髪等のゴミだけをごみ箱等へ振り落とすことができる。【選択図】　図１
2004116228.tif 000002
【特許請求の範囲】
【請求項１】
中心部に貫通穴が設けられ毛髪等を捕集する捕集部材と、少なくとも中央部が前記貫通穴よりも細い軸となる軸部材とからなり、前記捕集部材が前記軸部材の中央部にスライド自在に取り付けられたことを特徴とするヘアーキャッチャー。
【請求項２】
毛髪等を捕集する捕集部材と、少なくとも中央部が前記貫通穴よりも細い軸となる軸部材と、中心部に貫通穴を有し該中心部から放射状に広がる複数のリブを備えた捕集リブとからなり、前記軸部材の下方に前記捕集部材が取り付けられ、前記捕集リブが前記捕集部材の上方で前記軸部材にスライド自在に取付けられたことを特徴とするヘアーキャッチャー。
【請求項３】
前記リブの上面が中心側から外周に行くに従って上になるように前記リブをそれぞれ傾斜させてなることを特徴とする請求項２に記載のヘアーキャッチャー。
【請求項４】
底面部に凸部を設けた前記捕集リブを備えたことを特徴とする請求項２または３に記載のヘアーキャッチャー。
【請求項５】
前記捕集部材が前記軸部材に着脱自在に固定されたことを特徴とする請求項２乃至４のいづれか一項に記載のヘアーキャッチャー。
【請求項６】
排水栓が前記捕集部材または前記軸部材に、着脱自在に固定されてなることを特徴とする請求項１乃至５のいづれか一項に記載のヘアーキャッチャー。
【請求項７】
前記排水栓の下面に、垂下する複数の被案内羽根を有することを特徴とする請求項１乃至６のいづれか一項に記載のヘアーキャッチャー。
【発明の詳細な説明】
【０００１】
【発明の属する技術分野】
本発明は、洗面化粧台等の排水口に装着して毛髪やごみを捕集するのに用いるヘアーキャッチャーに関する。
【０００２】
【従来の技術】
従来のヘアーキャッチャーは、排水栓とヘアーキャッチャーが軸部材で一体化されたものだった。（例えば、特許文献１、特許文献２、特許文献３参照。）
【特許文献１】
特開２００２−１２１７９７号公報（第３頁、第１図）
【特許文献２】
特開平１０−８８６３８号公報（第４頁、第１図）
【特許文献３】
特開平９−３１６９５８号公報（第６頁、第１図）
【０００３】
【発明が解決しようとする課題】
従来のヘアーキャッチャーは、排水口から流入した毛髪や糸屑等を効率的に捕集できるよう様々な形状が考案されている。しかし、使用中にヘアーキャッチャーに溜まった毛髪や糸屑等を除去するにはヘアーキャッチャーそのものを直接手指やブラシ等を使って掃除しなくてはならず、手間がかかる上、衛生面からも使用者に嫌われるという課題があった。
【０００４】
そこで、本発明では使用中にヘアーキャッチャーに溜まった毛髪や糸屑等を手指やブラシ等を使うことなく、簡単な操作で除去することができるヘアーキャッチャーを提供するものである。
【０００５】
【課題を解決するための手段】
上記課題を解決するため本発明は、中心部に貫通穴が設けられ毛髪等を捕集する捕集部材と、少なくとも中央部が前記貫通穴よりも細い軸となる軸部材とからなり、前記捕集部材が前記軸部材の中央部にスライド自在に取り付けられたことを特徴とする。
【０００６】
本発明によれば、捕集部材の上部に捕集された毛髪等のゴミを除去する際、軸部材の上方をつまんでヘアーキャッチャーを取出し、軸部材の下方を持ってヘアーキャッチャーをごみ箱等に向けて振る。すると、捕集部材は軸部材の上方へスライドし、捕集された毛髪等のゴミだけをごみ箱等へ振り落とすことができる。したがって、使用者は毛髪等のゴミに手を振れることなく、衛生的にヘアーキャッチャーの掃除をすることができる。
【０００７】
本発明の好ましい態様として、毛髪等を捕集する捕集部材と、少なくとも中央部が前記貫通穴よりも細い軸となる軸部材と、中心部に貫通穴を有し該中心部から放射状に広がる複数のリブを備えた捕集リブとからなり、前記軸部材の下方に前記捕集部材が取り付けられ、前記捕集リブが前記捕集部材の上方で前記軸部材にスライド自在に取付けられたことを特徴とする。
【０００８】
本発明によれば、ヘアーキャッチャーを振ることにより捕集リブだけを軸部材の上方にスライドさせることができると同時に、毛髪等が捕集部材に絡みついていても捕集リブにより引き剥がされる。通常、毛髪同士は互いに絡み合っており、捕集リブが軸部材の上方へスライドすると毛髪等を塊のまま押し出すことになり、捕集された毛髪等をごみ箱等へ振り落とすことができる。
したがって、捕集部材に毛髪等が絡みついた場合でも、使用者は毛髪等のゴミに手を振れることなく、衛生的にヘアーキャッチャーの掃除をすることができる。
【０００９】
本発明の好ましい態様として、前記リブの上面が中心側から外周に行くに従って上になるように前記リブをそれぞれ傾斜させてなることを特徴とする。
本発明によれば、前記リブの傾斜により毛髪等のゴミが捕集リブの中心部に集まりやすくなり、捕集部材の開口部が塞がれ難くなるため、排水能力を阻害し難くなる。
また、捕集リブ上で毛髪同士が互いに絡み合いやすくなるため捕集リブに引っかかった毛髪やゴミが一つの塊を形成しやすくなることから、ヘアーキャッチャーを振って毛髪やゴミを除去しようとする際に、より取れやすくなり、ヘアーキャッチャーの掃除が簡単になる。
【００１０】
本発明の好ましい態様として、底面部に凸部を設けた前記捕集リブを備えたことを特徴とする。
本発明によれば、捕集部材上に取付けられた捕集リブが捕集部材と接する面積を小さくできるため、排水口から流入した洗剤等で捕集部材に捕集リブが固着することを防ぐことができる。
【００１１】
本発明の好ましい態様として、前記捕集部材が前記軸部材に着脱自在に固定されたことを特徴とする。
本発明によれば、捕集部材の取替が容易になるとともに捕集部材を取り外して洗浄することが容易にできるようになる。
【００１２】
本発明の好ましい態様として、排水栓が前記捕集部材または前記軸部材に、着脱自在に固定されてなることを特徴とする。
本発明によれば、使用者は本発明のヘアーキャッチャーを洗面化粧台等のポップアップ式排水栓として使用できるようになる。また、捕集部材の上部に捕集された毛髪等のゴミを除去する際、排水口から排水栓を取り外して、ヘアーキャッチャーを取出し、軸部材の下方を持ってヘアーキャッチャーをごみ箱等に向けて振ることによって、捕集部材は軸部材の上方へスライドし、捕集された毛髪等のゴミだけをゴミ箱等へ振り落とすことができる。
【００１３】
本発明の好ましい態様として、前記排水栓の下面に垂下する複数の被案内羽根を有することを特徴とする。
本発明によれば、本発明のヘアーキャッチャーを洗面化粧台等のポップアップ式排水栓として使用する場合、排水時の排水栓のぐらつきを防止することができる。
【００１４】
【発明の実施の形態】
以下に図面を参照して本発明をより具体的に説明する。
図１は本発明の一実施例に係るヘアーキャッチャーの外観斜視図であり、図２は本発明の一実施例に係るヘアーキャッチャーを排水ユニットに装着した場合の一部省略半断面図である。
図１（１）及び（２）のヘアーキャッチャーは中心部に貫通穴が設けられ毛髪等を捕集する捕集部材１０１と、少なくとも中央部が貫通穴よりも細い軸となる軸部材１０２とで構成されている。捕集部材１０１の中心部の貫通穴には軸部材１０２が挿通され、軸部材１０２の中央部に捕集部材１０１が上下にスライド自在に取り付けられている。
【００１５】
図２に示すように捕集部材１０１は装着する洗面化粧台等の排水ユニット２０１の内周面に当接するように排水口２０２の内径よりも若干小さくしておくことが望ましい。捕集部材１０１の底面部及び側面部は図１（１）あるいは（２）のような網目上の開口部を設けているが、この形状に限らず、毛髪等が捕集できかつ排水の流れを阻害しない程度の開口部を設けてあればよい。軸部材下部１０３及び軸部材上部１０４は捕集部材１０１が、捕集された毛髪等のゴミをゴミ箱等へ振り落とす時に、抜け出ることのないように貫通穴より外径が幾分大きくなっているが、軸部材１０２に一体的に成形されたものでもよい。また、捕集部材１０１はヘアーキャッチャーを振った時の勢いで上方向にスライドさせるのであるが、捕集部材１０１の貫通穴と軸部材１０２の表面はできるだけ滑りのよい仕上げ面とすることが好ましい。
【００１６】
図３は本発明の一実施例に係るヘアーキャッチャーの外観斜視図である。
図３（１）のヘアーキャッチャーは毛髪等を捕集する捕集部材１０１と、少なくとも中央部が貫通穴よりも細い軸となる軸部材１０２と、軸部材１０２の中央部に軸部材１０２が挿通される貫通穴を有し中心部から放射状に広がる複数のリブ３０２とで形成された捕集リブ３０１とからなり、軸部材１０２の下端に捕集部材１０１が取り付けられ、捕集リブ３０１が捕集部材１０１の上に挿通されている。
【００１７】
図３（２）のヘアーキャッチャーは図３（１）のヘアーキャッチャーにおいて、リブ３０２の上面が中心側から外周に行くに従って上になるようにリブ３０２をそれぞれ傾斜させて捕集リブ３０１を構成したものである。
【００１８】
図４は本発明の一実施例に係るヘアーキャッチャーの側断面図である。
図４のヘアーキャッチャーは毛髪等を捕集する捕集部材１０１と、少なくとも中央部が貫通穴よりも細い軸となる軸部材１０２と、軸部材１０２の中央部に軸部材１０２が挿通される貫通穴と、貫通穴から放射状に広がる複数のリブ３０２とで形成された捕集リブ３０１とからなり、軸部材１０２の下方に捕集部材１０１が取り付けられ、捕集リブ３０１が捕集部材１０１の上に挿通されている。
【００１９】
図４のように捕集リブ３０１のリブ３０２の上面が中心側から外周に行くに従って上になるようにそれぞれ傾斜している場合は、各リブ３０２の先端が捕集部材１０１の内側面部に当接するような傾斜角度となっていることが望ましい。また、リブ３０２の先端形状は図５（１）のような形状に限らず、（２）のようにある程度幅を持たせると、排水口から流れ込んだ毛髪等が捕集リブ３０１の下側に回り込みにくくなるため、毛髪等の除去がよりしやすくなる。更に、図５（３）のように各リブ３０２を内周方向に繋ぐ周回リブ５０１を設けることにより使用中のリブ３０２の折れや曲がりを防ぐことができる。
【００２０】
一方、捕集リブ３０１の底面部４０１が捕集部材１０１の上底面部と当接する場合は当接する面積をできるだけ小さくするために図５（４）または（５）のように凸部の先端はＲ形状とするか山形状等にすることが望ましい。
【００２１】
ここで、捕集部材１０１も図１に示すように貫通穴を設け軸部材１０２に上下にスライド自在に取り付けられていてもよい。しかし、ヘアーキャッチャーを振る時に捕集部材１０１を固定する手段を設けるか、または捕集部材１０１を手で押さえて振る必要がある。
【００２２】
したがって、更に好ましくは、捕集部材１０１を軸部材１０２の下方に固定してもよい。固定方法としては例えば、捕集部材１０１と軸部材１０２を一体成形するか接着剤等で一体化してもよいが、捕集部材１０１の貫通穴をめねじ、軸部材１０
２の下部をおねじ構造とする。あるいは捕集部材１０１と軸部材１０２のどちらか一方または両方の嵌合部にゴムや樹脂などの弾性素材を用いて嵌合させるといった方法や、捕集部材１０１と軸部材１０２のどちらか一方の嵌合部を磁化させ、もう一方に磁石にくっつく材料を用いるといった方法等によれば、使用者が容易に捕集部材１０１を着脱できるため捕集部材１０１そのもの清掃性や取替等がしやすくなる。
【００２３】
図６は本発明の一実施例に係るヘアーキャッチャーをポップアップ式排水ユニット６０１に装着した場合の一部省略半断面図である。
図６において、（１）は開閉手段６０３により排水栓６０２が上昇した開の状態を示し、（２）は開閉手段６０３により排水栓６０２が下降した閉の状態を示す。排水栓６０２は軸部材上部１０４に着脱自在に固定されている。固定方法としては例えば、排水栓６０２と軸部材１０２の嵌合部をねじ構造とする。あるいは排水栓６０２と軸部材１０２のどちらか一方または両方の嵌合部にゴムや樹脂などの弾性素材を用いて嵌合させるといった方法や、排水栓６０２と軸部材１０２のどちらか一方の嵌合部を磁化させ、もう一方に磁石にくっつく材料を用いるといった方法等がある。尚、排水栓６０２は捕集部材１０１に着脱自在に固定されていてもよい。
【００２４】
図７は本発明の一実施例に係るヘアーキャッチャーをポップアップ式排水ユニット６０１に装着した場合の一部省略半断面図である。
図７は開閉手段６０３により排水栓６０２が上昇した開の状態を示している。排水栓６０３は下面に、垂下する複数の被案内羽根７０１を有している。被案内羽根７０１は排水口の内周より若干内側から排水口中心部に向けて半径方向に複数箇所取り付けてある。被案内羽根７０１により、排水手段６０３によりヘアーキャッチャーの昇降の際や排水中に排水口内で排水栓が、がたつくことを防止することができる。
【００２５】
図８は本発明の一実施例に係るヘアーキャッチャーの外観斜視図である。
本発明のヘアーキャッチャーは図８のような構成であってもポップアップ式の排水栓としてその性能を発揮することができる。排水栓６０２は下部にガイド部８０１を設けており、接続片８０２により接続されている。ガイド部の下部は捕集部材１０１の上部にねじや、それぞれの合わせ面に嵌合部を設けること等で着脱自在に固定される。接続片８０２は複数本設けてもよいし、接続片８０２を使用せず、排水栓６０２にガイド部８０１を直接取り付けてもよい。また、ガイド部８０１は図８のように網目とするかどうかは問わない。
【００２６】
【発明の効果】
本発明では上記の構成とすることにより、使用中に溜まった毛髪や糸屑等を手指やブラシ等を使うことなく、簡単な操作で除去することができるヘアーキャッチャーを提供できる。
【図面の簡単な説明】
【図１】本発明の一実施例に係るヘアーキャッチャーの外観斜視図である。
【図２】本発明の一実施例に係るヘアーキャッチャーを排水ユニットに装着した場合の一部省略半断面図である。
【図３】本発明の一実施例に係るヘアーキャッチャーの外観斜視図である。
【図４】図４は本発明の一実施例に係るヘアーキャッチャーの側断面図である。
【図５】本発明の一実施例に係る捕集リブの平面図および側断面図である。
【図６】本発明の一実施例に係るヘアーキャッチャーをポップアップ式排水ユニットに装着した場合の一部省略半断面図である。
【図７】本発明の一実施例に係るヘアーキャッチャーをポップアップ式排水ユニットに装着した場合の一部省略半断面図である。
【図８】本発明の一実施例に係るヘアーキャッチャーの外観斜視図である。
【図９】従来のヘアーキャッチャーの外観斜視図である。
【符号の説明】
１０１…捕集部材、１０２…軸部材、１０３…軸部材下部、１０４…軸部材上部
２０１…排水ユニット、２０２…排水口、３０１…捕集リブ、３０２…リブ
４０１…底面部、５０１…周回リブ、
６０１…ポップアップ式排水ユニット、６０２…排水栓、６０３…開閉手段
７０１…被案内羽根、８０１…ガイド部、８０２…接続片
【図１】
2004116228.tif 000003
【図２】
2004116228.tif 000004
【図３】
2004116228.tif 000005
【図４】
2004116228.tif 000006
【図５】
2004116228.tif 000007
【図６】
2004116228.tif 000008
【図７】
2004116228.tif 000009
【図８】
2004116228.tif 000010
【図９】
2004116228.tif 000011